(57)【要約】【課題】  特殊な構造を一切用いない簡便な構造でありながら、室内の音声が室外に漏れるのを確実に防止することができるとともに、室外で発生した音声が室内に入るのも確実に防止することができる防音室を提供する。【解決手段】  防音室１０は、床面、側壁面、及び天井面によって形成された内室５１と、床面、側壁面、及び天井面によって形成され、内室５１の外面を覆うように所定の間隔をあけて設けられた外室５２とを備える。そして、防音室１０においては、内室５１の外面と外室５２とによって形成される空間に、所定の音楽が流される。【選択図】  図９
2007023673.tif 000002
【特許請求の範囲】
【請求項１】
所定の防音構造が施された防音室であって、
床面、側壁面、及び天井面によって形成された内室と、
床面、側壁面、及び天井面によって形成され、上記内室の外面を覆うように所定の間隔をあけて設けられた外室とを備え、
上記内室の外面と上記外室とによって形成される空間に、所定の音楽が流されていること
を特徴とする防音室。
【請求項２】
上記内室の室内空間と上記外室の室内空間は、略同体積であること
を特徴とする請求項１記載の防音室。
【請求項３】
上記内室における一の側壁面に設けられ、利用者が当該内室に出入りする際に開閉される内室扉と、
上記内室扉が設けられた側壁面に沿った上記外室における一の側壁面に設けられ、上記利用者が当該外室に出入りする際に開閉される外室扉とを備え、
上記内室扉及び上記外室扉は、ともに開放された際に出入り口が連通するように位置決めされて設けられていること
を特徴とする請求項１記載の防音室。
【請求項４】
上記音楽は、集音された上記内室の室内音を打ち消すような周波数からなる音楽であること
を特徴とする請求項１記載の防音室。
【請求項５】
上記内室の対向する２つの側壁面のそれぞれにおける下方に設置され、上記外室との空間に面して第１の逆止ダンパが取り付けられた吸気ファンと、
上記内室の天井面に設けられた第２の逆止ダンパと、
上記外室の天井面に設けられ、上記第２の逆止ダンパが取り付けられた排気ファンと、
上記外室の対向する２つの側壁面のそれぞれにおける上方に設置され、且つ、側壁面の幅方向について上記吸気ファン及び上記第１の逆止ダンパの設置位置と略同位置に設置された外気取り入れ用ダンパと、
上記外室の上記外室扉が設けられた側壁面と対向する側壁面に、上記外気取り入れ用ダンパが設置されている高さと略同じ高さに設置された外気取り入れ式の空調装置とを備えること
を特徴とする請求項１記載の防音室。
【発明の詳細な説明】
【技術分野】
【０００１】
本発明は、所定の防音構造が施された防音室に関する。
【背景技術】
【０００２】
従来から、機械等の作動に応じて発生する騒音を外部へと漏らさないようにするために、各種防音構造が施された防音室が提案されている（例えば、特許文献１等参照。）。
【０００３】
また、防音室の用途としては、機械等の騒音を外部へと漏らさないようにすることの他、近年の生活態様の複雑化にともない、例えばカラオケや楽器の練習場所等、様々な分野へと広がりをみせつつあり、かかる用途に適した防音室も提案されている（例えば、特許文献２等参照。）。
【０００４】
【特許文献１】特開平６−３５４７９号公報
【特許文献２】実開平７−２６５８０号公報
【発明の開示】
【発明が解決しようとする課題】
【０００５】
しかしながら、上述した特許文献１及び特許文献２等に記載された従来の防音室は、防音効果を実現するために、いずれも特殊な構造を要するものであり、手軽に構築することができるものは少なかった。
【０００６】
本発明は、このような実情に鑑みてなされたものであり、特殊な構造を一切用いない簡便な構造でありながら、室内の音声が室外に漏れるのを確実に防止することができるとともに、室外で発生した音声が室内に入るのも確実に防止することができる防音室を提供することを目的とする。
【課題を解決するための手段】
【０００７】
上述した目的を達成する本発明にかかる防音室は、所定の防音構造が施された防音室であって、床面、側壁面、及び天井面によって形成された内室と、床面、側壁面、及び天井面によって形成され、上記内室の外面を覆うように所定の間隔をあけて設けられた外室とを備え、上記内室の外面と上記外室とによって形成される空間に、所定の音楽が流されていることを特徴としている。
【０００８】
このような本発明にかかる防音室は、内室の外面をそのまま室外に露呈させるのではなく、外室による空間を設け、さらに、この空間に音楽を流すことにより、特殊な構造を一切用いない簡便な構造でありながら、内室の室内で発生した音声が室外に漏れるのを確実に防止することができるとともに、室外で発生した音声が内室の室内に入るのも確実に防止することができる。
【０００９】
ここで、上記内室の室内空間と上記外室の室内空間は、略同体積となるように形成される。これにより、本発明にかかる防音室においては、外室に存在する空気量と内室に存在する空気量とが略等しくなることから、換気を効率よく行うことが可能となる。
【００１０】
また、本発明にかかる防音室は、上記内室における一の側壁面に設けられ、利用者が当該内室に出入りする際に開閉される内室扉と、上記内室扉が設けられた側壁面に沿った上記外室における一の側壁面に設けられ、上記利用者が当該外室に出入りする際に開閉される外室扉とを備え、これら内室扉及び外室扉は、ともに開放された際に出入り口が連通するように位置決めされて設けられる。すなわち、本発明にかかる防音室は、内室扉及び外室扉による二重扉構造とされることから、最も音の出入りが生じやすい扉近傍の影響を低減し、防音性能をより向上させることができる。
【００１１】
なお、本発明にかかる防音室において、上記音楽は、集音された上記内室の室内音を打ち消すような周波数からなる音楽であるのが望ましい。これにより、本発明にかかる防音室においては、内室の室内で発生した音声が室外に漏れるのをより確実に防止することができる。
【００１２】
さらに、本発明にかかる防音室は、上記内室の対向する２つの側壁面のそれぞれにおける下方に設置され、上記外室との空間に面して第１の逆止ダンパが取り付けられた吸気ファンと、上記内室の天井面に設けられた第２の逆止ダンパと、上記外室の天井面に設けられ、上記第２の逆止ダンパが取り付けられた排気ファンと、上記外室の対向する２つの側壁面のそれぞれにおける上方に設置され、且つ、側壁面の幅方向について上記吸気ファン及び上記第１の逆止ダンパの設置位置と略同位置に設置された外気取り入れ用ダンパと、上記外室の上記外室扉が設けられた側壁面と対向する側壁面に、上記外気取り入れ用ダンパが設置されている高さと略同じ高さに設置された外気取り入れ式の空調装置とを備えるのが望ましい。
【００１３】
これにより、本発明にかかる防音室においては、内室及び外室の室内の空気を入れ替える際に、空調装置を作動させて外気を外室の室内に取り込むとともに、外気取り入れ用ダンパを作動させて外気を外室の室内に取り込むことができる。外室の室内に取り込まれた空気は、吸気ファンの作動に応じて、当該外室の下方に吹き下げられ、第１の逆止ダンパを介して内室の室内に取り込まれる。そして、内室の室内に取り込まれた空気は、排気ファンの作動に応じて、当該内室の上方に吹き上げられ、第２の逆止ダンパを介して室外に排出される。
【００１４】
したがって、本発明にかかる防音室においては、吸気ファン及び排気ファンを作動させることにより、内室及び外室の室内の空気を迅速に入れ替えることができる。このとき、本発明にかかる防音室においては、内室の室内の空気を全て入れ替えることができるため、高い消臭効果を発揮することができる。また、本発明にかかる防音室においては、空調装置を介して外気を取り込み、外室の室内の空気を空調されたものとすることができるため、内室の室内温度や室内湿度の変化を少なくすることができる。さらに、本発明にかかる防音室においては、内室と外室との境界に複数の逆止ダンパを設けることにより、空気の流れを一定方向に制御することができ、効率よく換気を行うことができる。
【発明の効果】
【００１５】
本発明においては、特殊な構造を一切用いない簡便な構造でありながら、内室の室内で発生した音声が室外に漏れるのを確実に防止することができるとともに、室外で発生した音声が内室の室内に入るのも確実に防止することができる。
【発明を実施するための最良の形態】
【００１６】
以下、本発明を適用した具体的な実施の形態について図面を参照しながら詳細に説明する。
【００１７】
この実施の形態は、本発明にかかる防音室を適用したシステムであり、利用者がストレスを解消する環境を提供するストレス解消環境提供システムである。特に、このストレス解消環境提供システムは、今回の利用と過去の利用とを有機的に結び付けることにより、利用者が過去のストレスの原因となった事象を振り返ることができ、その情報をその後の生活にフィードバックさせるような利用をさせることができる斬新なビジネスモデルを提案するものである。
【００１８】
ストレス解消環境提供システムは、図１に示すように、利用者が利用する１つ以上の防音室１０と、これら防音室１０の利用を管理する管理サーバ２０とを備える。
【００１９】
防音室１０は、室内で発生した音声を室外に漏らさず且つ室外で発生した音声を室内に入れないような所定の防音構造が施された組み立て式又は建造式の構造物である。防音室１０は、ストレスの解消を目的とする利用者が不満を含む任意の内容を発声する場所として提供され、例えば証明写真を撮像するブース等と同様の感覚で各所に設置される。利用者は、このような防音室１０の室内に入室し、不満や愚痴等を大声で発声することにより、ストレスの解消を図る。
【００２０】
このような防音室１０の室内には、例えば図２に内部構造の平面図を示すように、利用者が利用する椅子や机等の家具１１の他、管理サーバ２０と通信を行うことが可能な端末装置３０が設置されている。端末装置３０は、図２及び図３に示すように、各種映像を表示する表示手段としてのディスプレイ３１と、各種音声を出力する音声出力手段としてのスピーカ３２と、各種情報を入力する入力操作手段としての入力操作デバイス３３と、管理サーバ２０に対して各種情報を送信する送信手段としての送信部３４と、管理サーバ２０から送信された各種情報を受信する受信手段としての受信部３５と、これら各部を統括的に制御する制御部３６とを有する。
【００２１】
ディスプレイ３１は、例えば、液晶ディスプレイ（Liquid Crystal Display；ＬＣＤ）、プラズマ・ディスプレイ・パネル（Plasma Display Panel；ＰＤＰ）、有機エレクトロルミネッセンス（Organic ElectroLuminescent）ディスプレイ、又はＣＲＴ（Cathode Ray Tube）といった、各種表示デバイスであり、制御部３６の制御のもとに、各種映像やその他の情報を表示する。例えば、ディスプレイ３１は、利用者が不満や愚痴等を大声で発声するのを促進させるような環境映像を表示したり、端末装置３０の操作方法等の任意の情報を表示したりする。
【００２２】
スピーカ３２は、当該防音室１０の室内に複数設けられ、利用者が端末装置３０を操作して設定した音楽や当該利用者が発声した音声等を出力する。
【００２３】
入力操作デバイス３３は、例えば、キーボード、マウス、キーパッド、赤外線リモートコントローラ、スティックキー、又はプッシュボタンといった、ユーザインターフェースとしての所定のデバイスである。また、入力操作デバイス３３には、後述するＩＤカードに記録された情報を読み取ることによって入力するカードリーダ装置も含まれる。利用者は、この入力操作デバイス３３を介して、利用開始のための認証操作をはじめとする各種操作を行うことができる。また、利用者は、この入力操作デバイス３３を介して、発声した不満や愚痴等の発声内容の原因となった出来事等を任意に入力することができる。この入力操作デバイス３３を介して入力された情報は、制御部３６の制御のもとに、送信部３４に供給される。
【００２４】
送信部３４及び受信部３５は、例えば、アナログ回線、いわゆるイーサネット（登録商標）等から構成されるＬＡＮ（Local Area Network）、ＩＳＤＮ（Integrated Services Digital Network）、ＡＤＳＬ（Asymmetric Digital Subscriber Line）、若しくはＦＴＴＨ（Fiber To The Home）等の各種ネットワーク回線、ＩＥＥＥ（Institute of Electrical and Electronic Engineers）８０２．１１に準拠した無線ＬＡＮ若しくはいわゆるブルートゥース（Bluetooth（登録商標））等の各種無線通信方式、又はいわゆるＦＯＭＡ（登録商標）等のＷ−ＣＤＭＡ（Wideband-Code Division Multiple Access）方式若しくはＨＤＲ（High Data Rate）等のＣＤＭＡ−２０００方式といった、各種方式に基づくネットワークに接続するためのインターフェースであり、制御部３６の制御のもとに、管理サーバ２０や利用者が任意に指定したパーソナルコンピュータ、携帯電話機や携帯情報端末機（Personal Digital Assistant；ＰＤＡ）等の情報処理装置との間で通信を行う。
【００２５】
制御部３６は、例えばＣＰＵ（Central Processing Unit）等から構成され、図示しない記憶手段に記憶されている各種プログラムを実行し、各部を統括的に制御する。
【００２６】
このような端末装置３０は、初めて利用する利用者の場合には、当該利用者が入力操作デバイス３３を介して会員登録するための操作を行うのに応じて、管理サーバ２０に対して当該利用者に関する情報を登録させ、必要に応じて、当該利用者に固有のＩＤカード等を発行する。また、端末装置３０は、既に会員として登録されている利用者の場合には、当該利用者が利用開始のための認証操作を行うのに応じて、当該利用者に関する情報を管理サーバ２０に対して送信部３４を介して送信し、正当な利用者であるものと判定された場合には、利用可能である旨をディスプレイ３１等を介して報知する。このとき、端末装置３０は、必要に応じて、制御部３６の制御のもとに、特に図示しない防音室１０の出入り口を形成する扉を施錠し、料金を徴収しない限り利用者を退室させないようにしてもよい。さらに、端末装置３０は、入力操作デバイス３３を介して、利用者が発声した不満や愚痴等の発声内容の原因となった出来事等を入力するのに応じて、その情報を管理サーバ２０に対して送信部３４を介して送信して蓄積させる。そして、端末装置３０は、入力操作デバイス３３を介した利用者の要求操作に応じて、管理サーバ２０に蓄積された当該利用者の過去の履歴情報を、受信部３５を介して受信し、当該利用者に閲覧可能な形態でディスプレイ３１に表示する。このとき、端末装置３０は、過去の履歴情報とともに、当該利用者の属性に応じた広告を内容とする広告情報をディスプレイ３１に表示するのが望ましい。また、端末装置３０は、広告情報をディスプレイ３１に表示する場合には、入力操作デバイス３３を介した利用者の操作に応じて、当該広告情報を当該利用者が指定したパーソナルコンピュータ、携帯電話機や携帯情報端末機等の情報処理装置に対して送信する。
【００２７】
一方、管理サーバ２０は、図４に示すように、端末装置３０から送信された各種情報を受信する受信手段としての受信部２１と、端末装置３０に対して各種情報を送信する送信手段としての送信部２２と、端末装置３０から受信した各種情報を蓄積する蓄積手段としての情報蓄積部２３と、これら各部を統括的に制御する制御手段としての制御部２４とを有する。
【００２８】
受信部２１及び送信部２２は、端末装置３０における送信部３４及び受信部３５に対応して設けられるインターフェースであり、制御部２４の制御のもとに、端末装置３０との間で通信を行う。
【００２９】
情報蓄積部２３は、例えば、ハードディスクや、これらハードディスクを複数台用いていわゆるＲＡＩＤ（Redundant Arrays of Independent (Inexpensive) Disks）構成とした装置といった所定の記憶装置から構成される。情報蓄積部２３は、制御部２４の制御のもとに、防音室１０の利用登録を行った会員としての利用者に関する情報や、端末装置３０から送信された利用者の過去の履歴情報、さらには、広告情報といった、各種情報をデータベースとして蓄積する。具体的には、情報蓄積部２３は、防音室１０の利用登録を行った会員としての利用者に関する情報として、例えば図５に示すように、利用者に固有のＩＤ、当該利用者の氏名、当該利用者の住所（居住地域）、当該利用者の電話番号、当該利用者の年齢、当該利用者の性別、氏名の代わりに利用するニックネーム、当該利用者の電子メールアドレス、及び認証に用いるパスワード等の情報を、利用者毎に蓄積する。また、情報蓄積部２３は、端末装置３０から送信された利用者の過去の履歴情報として、例えば図６に示すように、当該情報を受信した日時、端末装置３０における入力操作デバイス３３を介して入力された不満や愚痴等の発声内容の原因となった出来事等の入力内容、及びそのときの発声内容等の情報を、利用者毎に蓄積する。さらに、情報蓄積部２３は、例えば図７に示すように、広告情報に固有のＩＤ及び当該広告情報のデータの他、当該広告情報を端末装置３０におけるディスプレイ３１に表示させる条件としての利用者の属性情報を、広告情報毎に蓄積する。なお、この属性情報としては、例えば、利用者の性別や年齢、居住地域等が挙げられる。このような情報蓄積部２３に蓄積された各種情報は、制御部２４によって読み出される。
【００３０】
制御部２４は、例えばＣＰＵ等から構成され、図示しない記憶手段に記憶されている各種プログラムを実行し、各部を統括的に制御する。また、制御部２４は、端末装置３０における入力操作デバイス３３を介した利用者の要求操作に応じて、当該利用者の過去の履歴情報を情報蓄積部２３から読み出し、送信部２２を介して端末装置３０に対して送信させる。このとき、制御部２４は、図５に示した情報に基づいて利用者の属性情報を判別し、その属性情報に応じた広告情報を情報蓄積部２３から読み出し、送信部２２を介して端末装置３０に対して送信させる。
【００３１】
このような管理サーバ２０は、初めて利用する利用者の場合には、受信部２１を介して端末装置３０から送信された当該利用者に関する情報を受信すると、制御部２４の制御のもとに、この情報を情報蓄積部２３に蓄積することにより、当該利用者を会員として登録する。また、管理サーバ２０は、既に会員として登録されている利用者の場合には、受信部２１を介して端末装置３０から送信された認証情報を受信すると、制御部２４の制御のもとに認証処理を行い、その認証結果を端末装置３０に対して送信部２２を介して送信する。さらに、管理サーバ２０は、受信部２１を介して端末装置３０から送信された不満や愚痴等の発声内容の原因となった出来事等の情報を受信すると、制御部２４の制御のもとに、この情報を履歴として情報蓄積部２３に蓄積する。そして、管理サーバ２０は、端末装置３０を介した利用者の要求操作に応じて、制御部２４の制御のもとに、情報蓄積部２３に蓄積された当該利用者の過去の履歴情報を当該情報蓄積部２３から読み出し、端末装置３０に対して送信部２２を介して送信する。このとき、管理サーバ２０は、当該利用者の属性に応じた広告情報を情報蓄積部２３から読み出し、読み出した広告情報を過去の履歴情報とともに端末装置３０に対して送信部２２を介して送信する。
【００３２】
このような端末装置３０及び管理サーバ２０を備えるストレス解消環境提供システムにおいては、具体的には図８(ａ)及び図８(ｂ)に示すような一連の手順にしたがって、防音室１０の室内に入室した利用者のストレス解消行動を支援する。
【００３３】
まず、端末装置３０は、図８(ａ)に示すように、ステップＳ１において、初めての利用者である場合には、ステップＳ２において、その利用者に入力操作デバイス３３を介して当該利用者に関する情報を入力させる。このとき、端末装置３０は、必要に応じて、情報の入力方法等を示す案内情報をディスプレイ３１やスピーカ３２を用いて出力する。そして、端末装置３０は、利用者による入力操作が終了すると、会員として登録する旨の確認を利用者に行った上で、送信部３４を介して、当該利用者に関する情報Ｃ１として管理サーバ２０に対して送信する。
【００３４】
これに応じて、管理サーバ２０は、ステップＳ３において、受信部２１を介して受信した利用者に関する情報Ｃ１を、制御部２４の制御のもとに、情報蓄積部２３に蓄積することにより、利用者の登録を行う。これにより、情報蓄積部２３には、先に図５に示したような内容からなるデータベースが構築される。管理サーバ２０は、かかる登録処理を完了すると、送信部２２を介して、登録が完了した旨を示す完了信号Ｃ２を端末装置３０に対して送信する。
【００３５】
端末装置３０は、受信部３５を介して完了信号Ｃ２を受信すると、ステップＳ４において、利用者に固有のＩＤカードを発行する。ストレス解消環境提供システムにおいては、このようにして利用者の会員登録を行う。会員登録された利用者は、次回以降の防音室１０の利用の際に、このＩＤカードを用いて認証操作を行うことになる。
【００３６】
すなわち、端末装置３０は、会員登録された利用者が防音室１０を利用する場合には、ステップＳ５において、当該利用者に入力操作デバイス３３を介して所定の認証情報を入力させる。具体的には、利用者は、発行されたＩＤカードに記録された利用者に固有の識別情報をカードリーダ装置としての入力操作デバイス３３に読み取らせた上で、当該入力操作デバイス３３を介して所定のパスワードを入力する。これに応じて、端末装置３０は、送信部３４を介して、入力された識別情報及びパスワードを認証情報Ｃ３として管理サーバ２０に対して送信する。なお、端末装置３０は、防音室１０の室内で利用者が発声した発声内容を認識する音声認識手段を有してもよく、この場合、利用者は、パスワードの入力に代えて、図示しないマイクを介して所定の合い言葉を発声して入力すればよい。すなわち、端末装置３０は、入力された識別情報と、音声認識手段によって認識した当該利用者が発声した所定の合い言葉を示す音声認識情報とを、認証情報Ｃ３として管理サーバ２０に対して送信するようにしてもよい。
【００３７】
管理サーバ２０は、受信部２１を介して認証情報Ｃ３を受信すると、ステップＳ６において、制御部２４の制御のもとに、当該認証情報Ｃ３に基づいて、利用者が登録された正当者であるか否かを認証する。すなわち、管理サーバ２０は、制御部２４の制御のもとに、情報蓄積部２３に蓄積されている先に図５に示したような内容からなるデータベースを参照して利用者に関する情報を読み出し、読み出した情報と受信した情報とを照合することにより、認証処理を行う。そして、管理サーバ２０は、送信部２２を介して、認証結果を示す情報Ｃ４を端末装置３０に対して送信する。
【００３８】
これに応じて、端末装置３０は、ステップＳ７において、受信部３５を介して受信した認証結果を示す情報Ｃ４が、会員登録された正当者でない旨を示すものであった場合には、制御部２４の制御のもとに、ディスプレイ３１やスピーカ３２を用いて利用不可能である旨を報知することにより、利用者に防音室１０からの退室を促し、一連の処理を終了する。一方、端末装置３０は、受信部３５を介して受信した認証結果を示す情報Ｃ４が、会員登録された正当者である旨を示すものであった場合には、ステップＳ８において、制御部２４の制御のもとに、利用可能である旨や料金の支払いの催促等をディスプレイ３１やスピーカ３２を用いて報知し、利用可能状態へと移行する。
【００３９】
利用者は、このようにして防音室１０の利用が認められると、所定の利用時間が経過するまで自由に過ごすことが可能となる。具体的には、利用者は、ストレスの解消を図るために、不満や愚痴等を大声で発声することができる。
【００４０】
ここで、ストレス解消環境提供システムにおいては、単に利用者が大声で発声するだけの環境を提供するのではなく、利用者が過去のストレスの原因となった事象を振り返ることを可能とするために、以下のようなサービスを提供する。
【００４１】
すなわち、利用者は、図８(ｂ)に示すように、ステップＳ９において、例えば勤務先で発生した上司とのトラブル等、発声した不満や愚痴等の発声内容の原因となった出来事等を、入力操作デバイス３３を介して任意に入力することができる。端末装置３０は、このような情報が入力されると、入力情報Ｃ５として、送信部３４を介して管理サーバ２０に対して送信する。このとき、端末装置３０は、上述した音声認識手段を有している場合には、利用者が発声した不満や愚痴等を音声認識し、その発声内容を示す音声認識情報を、入力情報Ｃ５とともに管理サーバ２０に対して送信するようにしてもよい。
【００４２】
これに応じて、管理サーバ２０は、ステップＳ１０において、制御部２４の制御のもとに、端末装置３０から送信された入力情報Ｃ５等を履歴として情報蓄積部２３に蓄積する。すなわち、管理サーバ２０は、先に図６に示したような内容からなるデータベースを情報蓄積部２３に構築する。また、管理サーバ２０は、入力情報Ｃ５とともに発声内容を示す音声認識情報を受信した場合には、その音声認識情報を、当該発声内容の原因を含む情報と対応付けて履歴として情報蓄積部２３に蓄積する。
【００４３】
ストレス解消環境提供システムにおいては、このようにして利用者の防音室１０の利用内容が履歴として蓄積される。そして、利用者は、蓄積された自己の履歴を任意に閲覧することが可能とされる。
【００４４】
すなわち、利用者は、ステップＳ１１において、入力操作デバイス３３を介して、自己の過去の履歴を閲覧するための所定の閲覧要求操作を行う。これに応じて、端末装置３０は、送信部３４を介して、閲覧要求信号Ｃ６を管理サーバ２０に対して送信する。
【００４５】
そして、管理サーバ２０は、ステップＳ１２において、制御部２４の制御のもとに、情報蓄積部２３に蓄積されている先に図６に示したような内容からなるデータベースを参照して利用者の過去の履歴を読み出す。このとき、管理サーバ２０は、ステップＳ１３において、利用者の属性情報を判別するとともに、情報蓄積部２３に蓄積されている先に図７に示したような内容からなるデータベースを参照し、その属性情報に応じた広告情報が蓄積されているか否かを判別する。ここで、管理サーバ２０は、利用者の属性に応じた広告情報が蓄積されていないものと判別した場合には、送信部２２を介して、ステップＳ１２にて読み出した履歴情報Ｃ７を端末装置３０に対して送信する。一方、管理サーバ２０は、利用者の属性に応じた広告情報が蓄積されているものと判別した場合には、ステップＳ１４において、制御部２４の制御のもとに、その広告情報を情報蓄積部２３から読み出す、そして、管理サーバ２０は、送信部２２を介して、ステップＳ１２及びステップＳ１４にて読み出した履歴情報及び広告情報Ｃ７を端末装置３０に対して送信する。
【００４６】
これにより、端末装置３０は、ステップＳ１５において、受信部３５を介して受信した履歴情報及び／又は広告情報を、利用者に閲覧可能な形態でディスプレイ３１に表示する。なお、利用者は、ディスプレイ３１に表示された広告情報を指定した情報処理装置に対して転送することもできる。すなわち、端末装置３０は、ステップＳ１６において、利用者によって広告情報の転送が希望された場合には、ステップＳ１７において、送信部３４を介して、その広告情報を指定した情報処理装置に対して送信する。
【００４７】
このように、ストレス解消環境提供システムにおいては、単に利用者が大声で発声するだけの環境を提供するのではなく、利用者が過去のストレスの原因となった事象を振り返ることを可能とするためのサービスも提供することができる。
【００４８】
以上説明したように、本発明の実施の形態として示すストレス解消環境提供システムにおいては、利用者が大声で発声する環境を提供することにより、手軽にストレスを解消するのを支援することができる。特に、このストレス解消環境提供システムにおいては、単に利用者が大声で発声するだけの環境を提供するのではなく、利用者が自己の履歴を閲覧することを可能とすることにより、今回の利用と過去の利用とを有機的に結び付け、当該利用者が過去のストレスの原因となった事象を振り返ることが可能となる。したがって、このストレス解消環境提供システムにおいては、利用者がストレスに対する自己の心境の変化等を顧みる機会を作り出すことができ、その情報をその後の生活にフィードバックさせるような利用をさせることができる。
【００４９】
また、このストレス解消環境提供システムにおいては、利用者の属性に応じた広告情報を閲覧させることにより、「年代や性別等に応じた特定のマーケット重視で何かを宣伝したい」という要望を有する広告主にとっては、著しい宣伝効果を奏することが期待され、利用者にとっても、かかるアフェリエイト広告による利用料金の低廉化という利益を享受することが可能となる。
【００５０】
このように、このストレス解消環境提供システムは、従来にはない斬新なビジネスモデルを提案するものである。
【００５１】
なお、本発明は、上述した実施の形態に限定されるものではない。例えば、上述した実施の形態では、防音室１０の具体的構造については特に示していないが、本発明は、防音室１０として新規な構造からなるものを提案することにより、利用者の便宜を図ることができる。
【００５２】
すなわち、ストレス解消環境提供システムにおいては、上述したように、室内で発生した音声を室外に漏らさず且つ室外で発生した音声を室内に入れないような所定の防音構造が施された組み立て式又は建造式の構造物であれば、いかなるものであっても適用することができるが、本願出願人は、簡便な構造で高い防音効果を実現するために鋭意研究を重ねた結果、以下のような構造からなる防音室１０を考案した。
【００５３】
図９に、防音室１０の内部構造の平面図を示し、図１０に、図９中Ａ−Ａ断面図を示し、図１１に、図９中Ｂ−Ｂ断面図を示す。
【００５４】
すなわち、防音室１０は、利用者が入室して発声する所定の防音構造が施された内室５１と、当該内室５１の外面を覆うように所定の間隔をあけて設けられた所定の防音構造が施された外室５２とからなる二重構造とされる。
【００５５】
内室５１及び外室５２は、それぞれ、床面、側壁面、及び天井面によって形成され、外室５２に存在する空気量と内室５１に存在する空気量とを略等しくして後述する換気を効率よく行うために、図９中斜線部で示すそれぞれの室内空間が、互いに略同体積となるように形成される。内室５１における一の側壁面には、利用者が当該内室５１に出入りする際に開閉される内室扉５３が設けられ、この内室扉５３が設けられた側壁面に沿った外室５２における一の側壁面には、利用者が当該外室５２に出入りする際に開閉される外室扉５４が設けられている。これら内室扉５３及び外室扉５４は、ともに開放された際に出入り口が連通するように位置決めされて設けられている。すなわち、防音室１０は、内室扉５３及び外室扉５４による二重扉構造とされる。
【００５６】
このような防音室１０においては、少なくとも内室５１の側壁面及び天井面からなる外面と外室５２とによって形成される空間に、所定の音楽が流される。すなわち、防音室１０は、利用者が入室する内室５１の外面をそのまま室外に露呈させるのではなく、外室５２による空間を設け、さらに、この空間に音楽を流すことにより、内室５１の室内で利用者が発声している音声が室外に漏れるのを確実に防止することができるとともに、室外で発生した音声が内室５１の室内に入るのも確実に防止することができる。また、防音室１０は、内室扉５３及び外室扉５４による二重扉構造とされることから、最も音の出入りが生じやすい扉近傍の影響を低減し、防音性能をより向上させることができる。なお、空間に流す音楽は、利用者が発声している音声が室外に漏れるのを防止することができるのであれば、例えばクラシック音楽等を所定の音量で流せばよい。また、防音室１０においては、利用者が発声している音声が室外に漏れるのをより確実に防止するために、図示しないマイクを介して内室５１の室内音を集音し、この室内音を打ち消すような周波数からなる音楽を、空間に流すようにしてもよい。
【００５７】
また、防音室１０は、防音性能の向上のみならず、利用者ができる限り快適に過ごすことができるように、換気や温度及び湿度等の観点からも工夫が施されている。
【００５８】
すなわち、防音室１０においては、内室５１の対向する２つの側壁面に、外室５２との空間に面して逆止ダンパ５６ａ，５６ｂが取り付けられた吸気ファン５５ａ，５５ｂが設けられている。これら吸気ファン５５ａ，５５ｂ及び逆止ダンパ５６ａ，５６ｂは、それぞれ、図１０及び図１１に示すように、内室５１の側壁面のそれぞれにおける下方に設置される。また、防音室１０においては、内室５１の天井面に逆止ダンパ５７が設けられるとともに、外室５２の天井面に排気ファン５８が設けられ、この排気ファン５８に逆止ダンパ５７が取り付けられている。さらに、防音室１０においては、外室５２の対向する２つの側壁面に、外気を取り入れる外気取り入れ用ダンパ５９ａ，５９ｂが設けられている。これら外気取り入れ用ダンパ５９ａ，５９ｂは、それぞれ、図１０に示すように、外室５２の側壁面のそれぞれにおける上方に設置され、且つ、図９に示すように、側壁面の幅方向の設置位置が吸気ファン５５ａ，５５ｂ及び逆止ダンパ５６ａ，５６ｂの設置位置と略同位置とされる。さらにまた、防音室１０においては、外室５２の外室扉５４が設けられた側壁面と対向する側壁面に、外気取り入れ式の空調装置６０が設けられている。この空調装置６０は、外気取り入れ用ダンパ５９ａ，５９ｂが設置されている高さと略同じ高さに設置される。
【００５９】
このような防音室１０においては、内室５１及び外室５２の室内の空気を入れ替える際には、図１１中矢印ａで示すように、空調装置６０を作動させて外気を外室５２の室内に取り込むとともに、図１０中矢印ｂ，ｃで示すように、外気取り入れ用ダンパ５９ａ，５９ｂを作動させて外気を外室５２の室内に取り込む。外室５２の室内に取り込まれた空気は、図１０中矢印ｄ，ｅで示すように、吸気ファン５５ａ，５５ｂの作動に応じて、当該外室５２の下方に吹き下げられ、同中矢印ｆ，ｇで示すように、逆止ダンパ５６ａ，５６ｂを介して内室５１の室内に取り込まれる。そして、内室５１の室内に取り込まれた空気は、同図中矢印ｈで示すように、排気ファン５８の作動に応じて、当該内室５１の上方に吹き上げられ、逆止ダンパ５７を介して室外に排出される。
【００６０】
このように、防音室１０においては、吸気ファン５５ａ，５５ｂ及び排気ファン５８を作動させることにより、内室５１及び外室５２の室内の空気を迅速に入れ替えることができる。このとき、防音室１０においては、内室５１の室内の空気を全て入れ替えることができるため、高い消臭効果を発揮することができる。また、防音室１０においては、空調装置６０を介して外気を取り込み、外室５２の室内の空気を空調されたものとすることができるため、内室５１の室内温度や室内湿度の変化を少なくすることができる。さらに、防音室１０においては、内室５１と外室５２との境界に複数の逆止ダンパ５６ａ，５６ｂ，５７を設けることにより、空気の流れを一定方向に制御することができ、効率よく換気を行うことができる。
【００６１】
本発明は、このような内室５１と外室５２とからなる二重構造の防音室１０を採用することにより、特殊な構造を一切用いない簡便な構造でありながら、高い防音性能を実現することができるのは勿論のこと、換気や温度及び湿度等の制御も適切に行うことができ、利用者に対して快適なストレス解消の場を提供することができる。
【００６２】
このように、本発明は、その趣旨を逸脱しない範囲で適宜変更が可能であることはいうまでもない。
【図面の簡単な説明】
【００６３】
【図１】本発明の実施の形態として示すストレス解消環境提供システムの構成を説明する図である。
【図２】同ストレス解消環境提供システムにおける防音室の内部構造の平面図である。
【図３】同ストレス解消環境提供システムにおける端末装置の構成を説明するブロック図である。
【図４】同ストレス解消環境提供システムにおける管理サーバの構成を説明するブロック図である。
【図５】同ストレス解消環境提供システムにおける管理サーバに構築されるデータベースの内容を説明する図であり、防音室の利用登録を行った会員としての利用者に関する情報の内容を示す図である。
【図６】同ストレス解消環境提供システムにおける管理サーバに構築されるデータベースの内容を説明する図であり、利用者の過去の履歴情報の内容を示す図である。
【図７】同ストレス解消環境提供システムにおける管理サーバに構築されるデータベースの内容を説明する図であり、広告情報の内容を示す図である。
【図８（ａ）】同ストレス解消環境提供システムにおいて、防音室内に入室した利用者がストレスを解消する際の一連の手順を説明するフローチャートであり、利用開始から利用可能となるまでの手順を説明する図である。
【図８（ｂ）】同ストレス解消環境提供システムにおいて、防音室内に入室した利用者がストレスを解消する際の一連の手順を説明するフローチャートであり、利用者が過去のストレスの原因となった事象を振り返ることを可能とするためのサービスの手順を説明する図である。
【図９】同ストレス解消環境提供システムに用いて好適な二重構造からなる防音室の具体的構造を説明する図であり、当該防音室の内部構造の平面図である。
【図１０】図９中Ａ−Ａ断面図である。
【図１１】図９中Ｂ−Ｂ断面図である。
【符号の説明】
【００６４】
１０  防音室
２０  管理サーバ
２１  受信部
２２  送信部
２３  情報蓄積部
２４  制御部
３０  端末装置
３１  ディスプレイ
３２  スピーカ
３３  入力操作デバイス
３４  送信部
３５  受信部
３６  制御部
５１  内室
５２  外室
５３  内室扉
５４  外室扉
５５ａ，５５ｂ  吸気ファン
５６ａ，５６ｂ，５７  逆止ダンパ
５８  排気ファン
５９ａ，５９ｂ  外気取り入れ用ダンパ
６０  空調装置
【図１】
2007023673.tif 000003
【図２】
2007023673.tif 000004
【図３】
2007023673.tif 000005
【図４】
2007023673.tif 000006
【図５】
2007023673.tif 000007
【図６】
2007023673.tif 000008
【図７】
2007023673.tif 000009
【図８（ａ）】
2007023673.tif 000010
【図８（ｂ）】
2007023673.tif 000011
【図９】
2007023673.tif 000012
【図１０】
2007023673.tif 000013
【図１１】
2007023673.tif 000014